(57)【特許請求の範囲】
【請求項１】
拡散器本体にセットされた容器体内の薬剤を気化して放出する拡散器において、
前記拡散器本体を、コンセントに差し込まれるコンセントプラグが延出する後カバーと、該後カバーの前側に取り付けられる前カバーと、該前カバーと前記後カバーとの間に配置される内部構成体とで構成し、
前記前カバー及び前記内部構成体を、光を透過する透光性を有した部材で構成するとともに、前記コンセントから供給された電源で発光する発光体を前記内部構成体に設け、かつ該発光体から前記前カバーまでの間を空き空間としたことを特徴とする拡散器。
【請求項２】
前記内部構成体に、前記容器体より延出した吸上芯を加熱するヒータと、該ヒータを支持する支柱とを設け、該支柱及び前記ヒータを、前記発光体より前記後カバー側に配置したことを特徴とする請求項１記載の拡散器。
【請求項３】
前記後カバーと前記前カバーと前記内部構成体とを固定する固定位置を、前記発光体より前記後カバー側に設定したことを特徴とする請求項１又は２記載の拡散器。
【発明の詳細な説明】
【技術分野】
【０００１】
本発明は、薬剤を気化して拡散させる拡散器に関する。
【背景技術】
【０００２】
従来、容器体に収容された液状薬剤を気化して放出する際には、拡散器が用いられていた（例えば、特許文献１〜４）。
【０００３】
これらの拡散器は、拡散器本体にセットされた容器体に光を当てるランプを備えており、前記容器体に収容された液状薬剤の残量を確認できるように構成されている。
【特許文献１】実開昭６３−８５０８４号公報
【特許文献２】実開平４−１０３４７９号公報
【特許文献３】実開平４−１０３４８１号公報
【特許文献４】実開平３−０２７９７８号公報
【発明の開示】
【発明が解決しようとする課題】
【０００４】
しかしながら、このような拡散器にあっては、内蔵のランプが容器体を照らすように構成されており、外観品質を高める効果はなかった。
【０００５】
本発明は、このような従来の課題に鑑みてなされたものであり、外観品質の高い拡散器を提供することを目的とするものである。
【課題を解決するための手段】
【０００６】
前記課題を解決するために本発明の請求項１の拡散器にあっては、拡散器本体にセットされた容器体内の薬剤を気化して放出する拡散器において、前記拡散器本体を、コンセントに差し込まれるコンセントプラグが延出する後カバーと、該後カバーの前側に取り付けられる前カバーと、該前カバーと前記後カバーとの間に配置される内部構成体とで構成し、前記前カバー及び前記内部構成体を、光を透過する透光性を有した部材で構成するとともに、前記コンセントから供給された電源で発光する発光体を前記内部構成体に設け、かつ該発光体から前記前カバーまでの間を空き空間とした。
【０００７】
すなわち、この拡散器を使用する際には、拡散器本体の後カバーより延出したコンセントプラグを、部屋の壁面に設けられたコンセントに差し込む。すると、前記コンセントプラグが延出した前記後カバーが前記壁面に面する一方、前カバーが内側に向く。
【０００８】
この状態で、前記コンセントから電源の供給を受けると、前記前カバーと前記後カバーとの間に配置された内部構成部材の発光体が発光する。このとき、この発光体から前記前カバーまでの間は、空き空間とされており、前記前カバーは、光を透過する透光性を有した部材で構成されている。このため、前記発光体からの光は、前記前カバーを透過し、当該前カバーは、前記発光体からの光で発光する。
また、前記前カバーの内側に設けられた前記内部構成体も、光を透過する透光性を有した部材で構成されており、当該内部構成体においても、前記発光体からの光が透過される。
【００１２】
さらに、請求項２の拡散器では、前記内部構成体に、前記容器体より延出した吸上芯を加熱するヒータと、該ヒータを支持する支柱とを設け、該支柱及び前記ヒータを、前記発光体より前記後カバー側に配置した。
【００１３】
すなわち、前記内部構成体には支柱及びヒータが設けられており、前記支柱及びヒータは、前記発光体より後カバー側に配置されている。
【００１４】
このため、前記支柱や前記ヒータが前記発光体より前カバー側に配置された場合と比較して、前記発光体からの光が前記支柱や前記ヒータで遮られるといった不具合が防止される。
【００１７】
また、請求項３の拡散器においては、前記後カバーと前記前カバーと前記内部構成体とを固定する固定位置を、前記発光体より前記後カバー側に設定した。
【００１８】
すなわち、前記後カバーと前記前カバーと前記内部構成体とを固定する固定位置は、前記発光体より前記後カバー側に設定されており、前記固定位置が前記発光体より前記前カバー側に設定された場合と比較して、前記発光体からの光が前記固定位置で遮られるといった不具合が防止される。
【発明の効果】
【００１９】
以上説明したように本発明の請求項１の拡散器にあっては、拡散器本体のコンセントプラグを壁面に設けられたコンセントに差し込んだ状態で、室内側に向いた前カバーを発光させることができる。
【００２０】
このため、内蔵ランプが、セットされた容器体のみを照らす従来と比較して、拡散器本体前面を発光させることができ、外観品質を高めることができる。
【００２１】
また、前記前カバーを透過した光によって、当該拡散器本体の手前側を照らすことができる。これにより、当該拡散器を照明として利用することができる。そして、当該拡散器は、一般的に低位置に設けられたコンセントに差し込んだ状態で配設される。このため、前記前カバーが発光する拡散器を、フットライトとして利用することもできる。
そして、前記前カバーの内側に設けられた前記内部構成体も、光を透過する透光性を有した部材で構成されており、当該内部構成体においても、前記発光体からの光を透過することができる。
このため、前記内部構成体が不透明な部材で構成された場合と比較して、前記内部構成体の陰の前記前カバーへの表出を防止することができ、外観品質を高めることができる。
【００２４】
さらに、請求項２の拡散器では、前記内部構成体に設けられた支柱及びヒータを、前記発光体より後カバー側に配置したため、前記支柱や前記ヒータが前記発光体より前カバー側に配置された場合と比較して、前記支柱や前記ヒータが前記発光体からの光を遮蔽するといった不具合を防止することができる。
【００２５】
これにより、前記前カバーを、明るく発光させることができる。
【００２８】
また、請求項３の拡散器においては、前記後カバーと前記前カバーと前記内部構成体とを固定する固定位置を、前記発光体より前記後カバー側に設定したため、前記固定位置が前記発光体より前記前カバー側に設定された場合と比較して、前記発光体からの光が前記固定位置で遮断されるといった不具合を防止することができる。
これにより、前記前カバーを、明るく発光させることができる。
【００２９】
これにより、前記前カバーを、明るく発光させることができる。
【発明を実施するための最良の形態】
【００３０】
以下、本発明の一実施の形態を図に従って説明する。図１は、本実施の形態にかかる拡散器としての芳香器１を示す図である。該芳香器１は、芳香器本体２にセットされた容器体としての薬剤瓶３内の液状薬剤を気化して放出する装置であり、当該芳香器１は、トイレや居住空間で使用されるものである。
【００３１】
この芳香器１の芳香器本体２は、図２にも示すように、後壁面を形成する後カバー１１と、該後カバー１１の前側に取り付けられる前カバー１２と、該前カバー１２と前記後カバー１１との間に配置される内部構成体１３とで構成されている。
【００３２】
前記後カバー１１は、有色の不透明な樹脂によって前方が開口した容器状に形成されており、その下部には、切欠部２１が設けられている。前記後カバー１１は、上部が断面円弧状に形成されており、その中央部には、薬剤を揮散する為の揮散穴２２が開設されている。
【００３３】
また、前記後カバー１１の上部には、内側に延出する一対の係止ピン３１，３１が前記揮散穴２２より前方側に設けられており、当該後カバー１１の側面には、前後方向に延在する上部フランジ３２，３２と、下部フランジ３３，３３とが左右の部位に設けられている。前記下部フランジ３３，３３の前端部には、円形穴３４，３４が設けられており、固定用のタッピンねじを挿通できるように構成されている。
【００３４】
この後カバー１１の後面上部には、図１及び図３にも示すように、複数のスリット４１，・・・からなる吸気口４２，４２が左右に形成されており、該吸気口４２，４２は、図２及び図４に示すように、軸部４４を中心に回動自在に支持されたスライド板４５によって開閉されるように構成されている。該スライド板４５には、操作ノブ４６が突設されており、該操作ノブ４６は、前記後カバー１１に設けられた挿通穴４７を介して外部に延出している。これにより、前記操作ノブ４６を操作して前記スライド板４５をスライドさせることによって、前記吸気口４２，４２の開度を可変できるように構成されている。
【００３５】
前記後カバー１１の下部には、図２に示したように、一対の矩形穴７１が設けられており、前記内部構成体１３に設けられたコンセントフラグ７２，７２を前記矩形穴７１，７１を介して、当該後カバー１１より後方へ延出できるように構成されている。
【００３６】
前記内部構成体１３は、光を透過する透光性を有した半透明の樹脂で形成されており、図２及び図５に示すように、中央部に設けられた中央板８１を中心に構成されている。該中央板８１の左右側縁部は、一般部８２より一段高い段差面８３，８３が形成されており、当該中央板８１が補強されている。
【００３７】
該中央板８１には、図２及び図５に示したように、上方に膨出した円形膨出部９１が形成されており、該円形膨出部９１には、その下方から前記薬剤瓶３の首部が挿入されるように構成されている。前記中央板８１の後縁には、下方に垂下する挟持板９２が設けられており、該挟持板９２と前記中央板８１に形成された前記段差面８３との間には、間隙８４，８４が形成されている。
【００３８】
前記挟持板９２は、前記前カバー１２の下部と対向するように構成されており、当該挟持板９２は、前記前カバー１２との間に配置された前記薬剤瓶３の瓶本体９５を前記前カバー１２と共に前後から挟持できるように構成されている。これにより、前記挟持板９２と前記前カバー１２とで挟持された前記薬剤瓶３は、図５及び図６に示すように、その首部が前記円形膨出部９１に挿入された状態で保持されるとともに、前記首部より延出した吸上芯９６が前記円形膨出部９１に設けられた支持穴９７を介して上方へ延出するように構成されている。
【００３９】
前記中央板８１の後縁部には、矩形状の支柱１０１が前記円形膨出部９１に沿って立設されており、この支柱１０１の上端部には、ヒータ１０２が設けられている。該ヒータ１０２は、前記支柱１０１に支持部材１０３を介して設けられており、当該ヒータ１０２は、前記円形膨出部９１に設けられた前記支持穴９７の真上に配置されるように構成されている。このヒータ１０２は、その加熱部１０４が円筒状に形成されており、前記薬剤瓶３より延出した前記吸上芯９６の外周部を包囲する位置に配置されている。これにより、前記吸上芯９６で吸い上げられた薬剤を前記ヒータ１０２で加熱することで、当該薬剤の気化を促進できるように構成されている。
【００４０】
前記支持部材１０３には、前記ヒータ１０２の電極１１１，１１１が設けられており、該電極１１１，１１１は、接続線１１２，１１２を介して制御基板１１３に接続されている。該制御基板１１３は、前記挟持板９２の裏面に沿って固定されており、当該制御基板１１３の下部には、家庭用のＡＣコンセントに差し込まれる前記コンセントプラグ７２，７２が設けられている。
【００４１】
また、この制御基板１１３には、前記ＡＣコンセントから供給された電源で発光する発光体としての発光ダイオード１２１，１２２が一対接続されており、各発光ダイオード１２１，１２２は、前記円形膨出部９１の両脇に設けられたリブ１２３，１２３に係止された状態で固定されている。これにより、前記両発光ダイオード１２１，１２２が、前記支柱１０１及び前記ヒータ１０２より前カバー１２側に配置されるように構成されている。
【００４２】
また、前記円形膨出部９１の側部には、、サブ基板１３１が設けられており、該サブ基板１３１は、前記制御基板１１３に接続されている。該サブ基板１３１には、スイッチ１３２が設けられており、該スイッチ１３２に設けられた操作部１３３は、図２に示したように、前記後カバー１１に設けられたスイッチ穴１３４を介して、当該後カバー１１の側部に突出するように構成されている。
【００４３】
前記円形膨出部９１に設けられた各リブ１２３，１２３の端部には、図５及び図６に示すように、上下に延在する円筒部１４１，１４１が形成されており、該円筒部１４１，１４１は、前記段差面８３を貫通して下方に開口するように構成されている。これにより、前記段差面８３の下方から挿入された固定用のタッピンねじを前記円筒部１４１，１４１に螺入できるように構成されている。
【００４４】
前記前カバー１２は、図２及び図７に示すように、前記内部構成体１３と同様に光を透過する透光性を有した半透明の樹脂で形成されており、該前カバー１２は、縦長の楕円形状に形成されている。この前カバー１２の前面は、緩やかに湾曲した凹凸の無い平坦面で構成されており、その周縁部には、凸条部１５１が全周に渡って形成されている。これにより、この凸条部１５１の内側は、フィルム等の貼着物を貼着可能な貼着面１５２を構成している。
【００４５】
前記前カバー１２の上部には、後方に延出した上部支持片１６１，１６１が設けられており、両上部支持片１６１，１６１には、係止穴１６２，１６２が設けられている。この上部支持片１６１，１６１の前記係止穴１６２，１６２には、前記後カバー１１に突設された前記係止ピン３１，３１が挿入された状態で係止されるよう構成されており（図２参照）、当該前カバー１２の上部を前記後カバー１１に固定できるように構成されている。
【００４６】
この前カバー１２の下部中央には、突出部１７１が突設されており、該突出部１７１は、図３に示したように、前記薬剤瓶３の前記瓶本体９５に設けられた凸部１７２を下方から支持し、当該薬剤瓶３の不用意な離脱を防止できるように構成されている。前記突出部１７１の両脇には、図７に示したように、後方に延出する下部支持片１７３，１７３が設けられており、両下部支持片１７３，１７３は、断面Ｌ字状に形成されている。各下部支持片１７３，１７３には、円形の貫通穴１７４，１７４が設けられており、固定用のタッピンねじを挿通できるように構成されている。
【００４７】
これにより、図４に示したように、前記後カバー１１の前記上部フランジ３２，３２と前記下部フランジ３３，３３との間に、前記円形膨出部９１を挿入した状態で当該内部構成体１３を前記後カバー１１にセットした際に、前記後カバー１１の前記下部フランジ３３，３３と前記内部構成体１３の前記段差面８３，８３との間に隙間１８１が形成されるように構成されており、この隙間１８１に、図３に示したように、前記前カバー１２の前記下部支持片１７３，１７３を挿入した状態で、前記後カバー１１の前記下部フランジ３３に設けられた前記円形穴３４の中心と、前記前カバー１２の前記下部支持片１７３に設けられた前記貫通穴１７４の中心と、前記内部構成体１３の前記段差面８３に形成された前記円筒部１４１の中心とが一致するように構成されている。また、この状態において、前記後カバー１１の前記下部フランジ３３における前記円形穴３４にタッピンねじを挿入することで、当該タッピンねじを前記内部構成体１３の前記円筒部１４１に螺入できるように構成されており、このタッピンねじで前記後カバー１１と前記前カバー１２と前記内部構成体１３とを固定できるように構成されている。
【００４８】
そして、前記後カバー１１と前記前カバー１２と前記内部構成体１３とを固定する固定位置１９１は、前記各発光ダイオード１２１，１２２の下部であって、各発光ダイオード１２１，１２２の発光面より前記後カバー１１側に設定されている。また、この固定状態において、前記内部構成体１３に設けられた前記各発光ダイオード１２１，１２２から前記前カバー１２までの間は、空き空間１９２となるように構成されている。
【００４９】
以上の構成にかかる本実施の形態において、前記芳香器１を使用する際には、芳香器本体２の後カバー１１より延出したコンセントプラグ７２，７２を、部屋の壁面に設けられたＡＣコンセントに差し込む。すると、前記コンセントプラグ７２，７２が延出した前記後カバー１１が前記壁面に面する一方、前カバー１２が室内側を向く。
【００５０】
この状態で、前記ＡＣコンセントから電源の供給を受けると、前記前カバー１２と前記後カバー１１との間に配置された内部構成体１３の発光ダイオード１２１，１２２が発光する。このとき、この発光ダイオード１２１，１２２から前記前カバー１２までの間は、空き空間１９２とされており、前記前カバー１２は、光を透過する透光性を有した半透明の樹脂で構成されている。このため、前記発光ダイオード１２１，１２２からの光は、前記前カバー１２を透過し、当該前カバー１２は、前記発光ダイオード１２１，１２２からの光で発光する。
【００５１】
このように、前記芳香器本体２のコンセントプラグ７２，７２を壁面のＡＣコンセントに差し込んだ状態で、室内側に向いた前記前カバー１２を発光させることができる。
【００５２】
このため、内蔵ランプが、セットされた容器体のみを照らす従来と比較して、前記芳香器本体２前面を発光させることができ、外観品質を高めることができる。
【００５３】
また、前記前カバー１２を透過した光によって、当該芳香器本体２の手前側を照らすことができる。これにより、当該芳香器１を照明として利用することができる。そして、当該芳香器１は、一般的に低位置に設けられたＡＣコンセントに差し込んだ状態で配設される。このため、前記前カバー１２が発光する芳香器１を、フットライトとして利用することもできる。
【００５４】
また、発光する前記前カバー１２の前面は、貼着面１５２を構成しており、該貼着面１５２に、絵などが描かれた透明フィルム等からなる貼着物を貼着することができる。
【００５５】
これにより、該貼着物に描かれた絵などを光らせることができ、デザイン性の向上を図ることができる。
【００５６】
また、前記内部構成体１３には支柱１０１及びヒータ１０２が設けられており、前記支柱１０１及びヒータ１０２は、前記発光ダイオード１２１，１２２より前記後カバー１１側に配置されている。
【００５７】
このため、前記支柱１０１や前記ヒータ１０２が前記発光ダイオード１２１，１２２より前カバー１２側に配置された場合と比較して、前記発光ダイオード１２１，１２２からの光が前記支柱１０１や前記ヒータ１０２で遮られるといった不具合を防止することができる。
【００５８】
これにより、前記前カバー１２に前記内部構成体１３の影が写ること無く、前記前カバー１２を、明るく発光させることができる。
【００５９】
そして、前記前カバー１２の内側に設けられた前記内部構成体１３も、光を透過する透光性を有した半透明の樹脂で形成されており、当該内部構成体１３においても、前記発光ダイオード１２１，１２２からの光を透過することができる。
【００６０】
このため、前記内部構成体１３が光を透過しない部材で構成された場合と比較して、前記内部構成体１３の陰の前記前カバー１２への表出を防止することができ、外観品質を高めることができる。
【００６１】
また、前記後カバー１１と前記前カバー１２と前記内部構成体１３とを固定する固定位置１９１，１９１を、前記発光ダイオード１２１，１２２より前記後カバー１１側に設定したため、前記固定位置１９１，１９１が前記発光ダイオード１２１，１２２の発光面より前記前カバー１２側に設定された場合と比較して、前記発光ダイオード１２１，１２２からの光が前記固定位置１９１，１９１のタッピンねじ等で遮断されるといった不具合を防止することができる。
【００６２】
これにより、前記前カバー１２を、さらに明るく発光させることができる。
【００６３】
なお、本実施の形態では、芳香器１について説明したが、殺虫剤を拡散させる殺虫剤、防虫剤を拡散させる防虫器、消臭剤を拡散させる消臭器等にも使用できる。
【図面の簡単な説明】
【００６４】
【図１】本発明の一実施の形態を示す斜視図である。
【図２】同実施の形態の分解斜視図である。
【図３】同実施の形態の要部の断面図である。
【図４】同実施の形態の前カバーを外した状態を示す正面図である。
【図５】同実施の形態の内部構成体を示す側面図である。
【図６】同実施の形態の内部構成体を示す平面図である。
【図７】同実施の形態の前カバーを示す斜視図である。
【符号の説明】
【００６５】
１    芳香器
２    芳香器本体
３    薬剤瓶
１１    後カバー
１２    前カバー
１３    内部構成体
７２    コンセントプラグ
１０１    支柱
１０２    ヒータ
１２１    発光ダイオード
１２２    発光ダイオード
１９１    固定位置
１９２    空き空間
【図１】
0004762703.tif 000002
【図２】
0004762703.tif 000003
【図３】
0004762703.tif 000004
【図４】
0004762703.tif 000005
【図５】
0004762703.tif 000006
【図６】
0004762703.tif 000007
【図７】
0004762703.tif 000008